【手続補正書】
【提出日】平成15年7月9日(2003.7.9)
【手続補正１】
【補正対象書類名】明細書
【補正対象項目名】特許請求の範囲
【補正方法】変更
【補正の内容】
【特許請求の範囲】
【請求項１】
室の固定壁を画定する本体を備えたマイクロ弁アクチュエータにおいて、前記室にマイクロ弁を位置決めする作動部材を設け、さらに前記本体が、前記室の前記固定壁の互いに間隔を置いた２つの部分の間に縦方向に延びる圧力補強部材を画定し、この圧力補強部材を、前記固定壁から横方向に間隔を置いて配置し、前記圧力補強部材の縦方向に互いに対向する２つの端部だけにおいて前記圧力補強部材を前記固定壁に連結して成るマイクロ弁アクチュエータ。
【請求項２】
前記本体を、前記室用の圧力境界の一部を画定する第１及び第２の層を含む少なくとも３つの層で構成し、前記室に前記マイクロ弁アクチュエータにより作動されるマイクロ弁に連通する流体を入れ、前記本体にさらに前記第１及び第２の層の間に配置され、これ等の層に接着した第３の層を設け、この第３層が、前記第１及び第２の層の間に前記室の周辺圧力境界を画定し、前記圧力補強部材が、前記周辺圧力境界から間隔を置いて前記第１の層の一部分を前記第２の層の一部分に固定する圧力補強柱により構成した請求項１のマイクロ弁アクチュエータ。
【請求項３】
前記圧力補強柱を、前記の第１、第２及び第３の層のうちの１つで形成した請求項２のマイクロ弁アクチュエータ。
【請求項４】
前記本体を前記室用の圧力境界の互いに間隔を置いた壁部分を画定する第１及び第２の層を含む少なくとも３つの層により構成し、前記室に、前記マイクロ弁アクチュエータによって作動されるマイクロ弁に通ずる流体を入れ、前記本体にさらに、前記第１の層と前記第２の層との間に配置され、これ等の層に接着した第３の層を設け、この第３の層が、前記第１の層と前記第２の層との間に前記室の周辺圧力境界を画定し、前記作動部材に、共通の中央スパインに固定した複数の山形状部材を画定する互いに間隔を置いた複数対のリブを設け、前記第３の層が、複数のリブを取付けた固定体を画定し、前記圧力補強部材を、前記固定体から隣接する対の前記山形状部材の互いに間隔を置いた２つのリブの間の領域に延びる圧力・補強半島形により構成し、前記第１の層の一部分を前記第２の層の一部分に固定するように、前記圧力補強部材を、前記第１及び第２の層に接着した請求項１のマイクロ弁アクチュエータ。
【請求項５】
弁本体と、
縦方向に細長い可動な弁部材と、
この可動な弁部材を前記弁本体に取り付けるためのヒンジと、
を備え、
前記ヒンジが、前記弁部材を前記弁本体に連結する細長いたわみ性ビームから成ることにより、前記弁部材が前記弁本体に対して動く際に前記たわみ性ビームが湾曲するのに適し、前記ヒンジが、前記弁部材の、幅を狭めた大体において縦方向に延びる延長部分を形成して成る、
マイクロ弁。
【請求項６】
弁本体と、
可動な弁部材と、
この可動な弁部材を前記弁本体に取り付けるためのヒンジと、
を備え、
前記ヒンジが、前記弁部材を前記弁本体に連結する細長いたわみ性ビームから成ることにより、前記弁部材が前記弁本体に対して動く際に前記たわみ性ビームが湾曲するようにし、
前記弁部材が平面内で動き、この平面内で第１の横方向幅を画定し、前記ヒンジの前記たわみ性ビームが前記平面内で前記第１の横方向幅より狭い第２の横方向幅を画定するようにして成る、
マイクロ弁。
【請求項７】
前記ヒンジの前記たわみ性ビームが、その一端部に末広がりの根元部を画定した請求項６のマイクロ弁。
【請求項８】
さらに、前記弁部材を前記弁本体に対して選択的に動かすアクチュエータを備え、このアクチュエータに、前記弁部材及びこのアクチュエータを作動的に結合する連結部材を設け、この連結部材が、前記平面内に前記第１の横方向幅より狭い第３の横方向幅を画定する細長いたわみ性ビームから成る請求項６のマイクロ弁。
【請求項９】
前記弁部材が縦方向に細長く、前記ヒンジが、前記弁部材の縦方向端部に固定したこの弁部材の幅を狭くした大体において縦方向に延びる延長部分を形成し、前記連結部材を、前記弁部材の前記端部に固定した請求項８のマイクロ弁。
【請求項１０】
前記連結部材が、前記ヒンジのたわみ性ビームに大体において平行に延びている請求項９のマイクロ弁。
【請求項１１】
前記連結部材を大体においてＬ字形にした請求項１０のマイクロ弁。
【請求項１２】
前記弁本体が、前記連結部材と前記ヒンジとの間に部分的に延びるリブを画定し、前記ヒンジと、前記リブと前記連結部材とが、互いに協働して大体においてＵ字形の部分を持つ第１のみぞ穴を画定するようにした請求項１１のマイクロ弁。
【請求項１３】
前記アクチュエータが、前記弁本体と、共通の中央スパインとの間に山形状の構造内に固定した１対の伸長できるリブを備え、前記アクチュエータの前記伸長できるリブの一方が、前記本体と協働してこの本体との間に前記第１のみぞ穴のＵ字形部分に連通する第２のみぞ穴を画定するようにした請求項１２のマイクロ弁。
【請求項１４】
前記リブが、前記平面内で前記第２及び第３の横方向幅に実質的に等しい第４の横方向幅を画定した請求項１２のマイクロ弁。
【請求項１５】
前記ヒンジの前記たわみ性ビームの端部と、前記連結部材の前記たわみ性ビームの端部との少なくとも一方が、末広がりの根元部を画定した請求項１３のマイクロ弁。
【請求項１６】
室の固定壁を画定する本体と、マイクロ弁を位置決めするように前記室内に配置された作動部材と、
を備えたマイクロ弁アクチュエータにおいて、
前記作動部材に、
可動なスパインと、
それぞれ第１部分及び第２部分を持つ複数対の伸長できるリブと、
を設け、
これ等の各対の伸長できるリブを、前記本体と前記スパインとの間に固定し、前記各対のリブを前記スパインの互いに対向する側部に配置し、前記各対のリブを前記スパインに沿い縦方向に互いに間隔を置いて、前記リブのうちの１つのリブの第１部分と、縦方向に隣接するリブの第１部分とが、これ等の部分間に第１のすきま距離を持つ第１のすきまを画定し、そして前記作動部材に、
前記リブのうちの１つのリブの前記第２部分と前記の縦方向に隣接するリブの前記第２部分との間に挿入した延長本体を設け、
この延長本体と、前記リブのうちの１つのリブの前記第２部分とが前記延長本体と、前記リブのうちの前記１つのリブの前記第２部分との間に前記第１すきま距離に等しい第２すきま距離を持つ第２のすきまを画定し、
前記延長本体と、前記縦方向に隣接するリブの前記第２部分とが、前記延長本体と縦方向に隣接するリブとの間に前記第１すきま距離に等しい第３すきま距離を持つ第３のすきまを画定して成る、
マイクロ弁アクチュエータ。
【請求項１７】
前記各リブの前記各第１部分が、第１の幅を画定し、前記各リブの前記各第２部分が、前記第１幅より狭い第２の幅を画定した請求項１６のマイクロ弁アクチュエータ。
【請求項１８】
前記延長本体が、前記スパインの大体において横方向に延びる部分である請求項１６のマイクロ弁アクチュエータ。
【請求項１９】
前記延長本体が、前記弁本体の大体において横方向に延びる部分である請求項１６のマイクロ弁アクチュエータ。
【請求項２０】
前記延長本体が、前記スパインの大体において横方向に延びる部分であり、
前記各リブが、さらに第３部分を画定し、
前記弁本体が、前記各リブのうちの前記１つのリブの前記第３部分と、前記縦方向に隣接するリブの前記第３部分との間に挿入した第２の延長本体を画定し、この第２の延長本体が、前記弁本体の大体において横方向に延びる部分であり、
前記第２の延長本体と、前記各リブのうちの前記１つのリブの前記第３部分とが、前記第２の延長本体と、前記各リブのうちの前記１つのリブの前記第３部分との間に前記第１すきま距離に等しい第４すきま距離を持つ第４のすきまを画定し、
前記第２の延長本体と、前記縦方向に隣接するリブの前記第３部分とが、前記第２の延長本体と、縦方向に隣接するリブとの間に、前記第１すきま距離に等しい第５すきま距離を持つ第５のすきまを画定した
請求項１６のマイクロ弁アクチュエータ。
【請求項２１】
室を画定するプレート弁本体と、
前記プレート弁本体を流通する流体の流れを制御するように、前記室内で可動なプレート弁部材と、
を備え、
前記プレート弁部材が、１対の互いに対向する面と、これ等の面を貫通するダクトとを画定し、
前記ダクトが、このダクトの領域内で、前記対向する面に作用する流体圧力を等しくするように、前記対向する面間に流体連通を生じさせるようにして成るマイクロ弁。
【請求項２２】
前記プレート弁本体がさらに、前記室内への口と、この口に対向して前記室に連通するトラフとを画定し、
前記プレート弁部材が、前記口と前記室との間の流体の連通を実質的に塞ぐ位置と、前記口と前記室との間の流体の連通が存在する位置との間で、前記口に対し移動可能であり、前記プレート弁部材を貫く前記通路が、前記口と前記トラフとの間の流体の連通を生じさせるダクトである、
請求項２１のマイクロ弁。
【請求項２３】
室を画定するプレート弁本体と、
このプレート弁本体を流通する流体の流れを制御するように前記室内で前記プレート弁本体に直交するピボット軸線のまわりに可動なプレート弁部材と、
を備え、
前記プレート弁部材が、１対の互いに対向する面と、第１の貫通ダクトであって、この第１の貫通ダクトの領域で前記互いに対向する面に作用する流体圧力を互いに等しくするように前記互いに対向する面間に流体の連通を生じさせ第１の貫通ダクトと、第２の貫通ダクトであって、この第２の貫通ダクトの領域で前記互いに対向する面に作用する各流体圧力を互いに等しくするように前記互いに対向する面間に流体の連通を生じさせる第２の貫通ダクトとを画定し、前記第１の貫通ダクトと、前記第２の貫通ダクトとを前記ピボットから等距離にして成る、
マイクロ弁。
【請求項２４】
前記弁本体がさらに、高圧流体源に連結されるのに適する、前記室に連通する第１の口と、低圧溜めに連結するのに適する、前記室に連通する第２の口とを画定し、前記プレート弁部材が、前記第１の貫通ダクトが前記第１の口に連通すると共に前記第２の貫通ダクトが前記第２の口に流体連通する位置に移動可能である請求項２３のマイクロ弁。
【請求項２５】
前記プレート弁部材がＴ字形であり、このプレート弁部材が、前記ピボットに連結した主軸とクロス部材とを備え、このクロス部材が、前記第１の貫通ダクトを画定する第１の端部部分と、前記第２の貫通ダクトを画定する第２の端部部分と、前記主軸に固定した、前記第１及び第２の端部部分間の中間部分とを備えた請求項２４のマイクロ弁。
【請求項２６】
前記弁部材が、縦方向に細長く、かつ縦方向軸線を画定すると共に前記弁部材の横方向幅を画定し、前記ヒンジが前記縦方向軸線に対し或る角度をなして延び、前記弁部材の前記横方向幅より狭い、前記ヒンジの横方向幅を画定するようにした請求項２４のマイクロ弁。
【請求項２７】
さらに、前記弁部材を前記弁本体に対し選択的に動かすアクチュエータを備え、このアクチュエータが、前記弁部材と前記アクチュエータとを作動的に結合する連結部材を備え、この連結部材が、前記弁部材の前記横方向幅より狭い前記連結部材の横方向幅を画定する細長いたわみ性ビームから成る請求項２６のマイクロ弁。
【請求項２８】
前記連結部材が前記ヒンジの前記たわみ性ビームに大体において平行に延びるようにした請求項２７のマイクロ弁。
【手続補正２】
【補正対象書類名】明細書
【補正対象項目名】図面の簡単な説明
【補正方法】変更
【補正の内容】
【図面の簡単な説明】
【図１Ａ】
本発明によるマイクロ弁装置の第１実施例を第１位置にして一部を切欠いて示す平面図である。
【図１Ｂ】
図１Ａのマイクロ弁装置を第２の位置で示す図１Ａと同様な平面図である。
【図２】
図１Ａの２−２線に沿う断面図である。
【図３】
図１Ａの３−３線に沿う断面図である。
【図４】
図１Ａ及び１Ｂのマイクロ弁装置の滑り弁の拡大平面図である。
【図５Ａ】
本マイクロ弁装置の第２の実施例を第１位置にして一部を切欠いて示す平面図である。
【図５Ｂ】
図５Ａのマイクロ弁装置を第２の位置で示す図５Ａと同様な平面図である。
【図５Ｃ】
図５Ａ及び５Ｂに示したマイクロ弁装置のアクチュエータの１実施例を圧力補強部材と共に示す平面図である。
【図５Ｄ】
図１Ａ及び１Ｂに示したアクチュエータの別の実施例の平面図である。
【図６】
図５Ａの６−６線に沿う拡大断面図である。
【図７】
図５Ａ及び５Ｂに示したマイクロ弁装置の第３プレートの下面を示す斜視図である。
【図８】
図５Ａ及び５Ｂに示したマイクロ弁装置の滑り弁を中間位置にして示す拡大平面図である。
【図９Ａ】
本発明の第３実施例によるマイクロ弁装置を第１位置で一部を切欠いて示す平面図である。
【図９Ｂ】
図９Ａのマイクロ弁装置を第２位置にして示す図９Ａと同様な平面図である。
【図１０】
図９Ａ及び９Ｂのマイクロ弁装置の第１位置における滑り弁の拡大平面図である。
【図１１Ａ】
本発明の第４実施例によるマイクロ弁装置を第１位置にして示す平面図である。
【図１１Ｂ】
図１１Ａのマイクロ弁装置を第２位置にして示す、図１１Ａと同様な平面図である。
【図１２】
図１１Ａ及び１１Ｂのマイクロ弁装置の滑り弁を第１位置にして示す拡大平面図である。
【図１３Ａ】
本発明の第５実施例によるマイクロ弁装置を第１位置にして示す拡大平面図である。
【図１３Ｂ】
図１３Ａのマイクロ弁装置を第２位置にして示す図１３Ａと同様な平面図である。
【図１４】
図１３Ａ及び１３Ｂのマイクロ弁装置の滑り弁を第１位置にして示す拡大平面図である。
【図１５Ａ】
正常な作動モードで示した本発明による通常開いたマイクロ弁装置及び通常閉じたマイクロ弁装置を持つマイクロ弁単位を備えた第１実施例による車両ブレーキ・システムの概略図である。
【図１５Ｂ】
図１５Ａのブレーキ・システムを減衰作動モードで示す概略図である。
【図１５Ｃ】
図１５Ａ及び１５Ｂに示したブレーキ・システムを保持作動モードで示す図１５Ａ及び１５Ｂと同様な概略図である。
【図１６Ａ】
正常な作動モードで示した２位置制御弁として構成した図１３Ａ及び１３Ｂに示したマイクロ弁装置を備えた第２実施例による車両ブレーキ・システムの概略図である。
【図１６Ｂ】
図１６Ａに示した車両ブレーキ・システムを減衰作動モードで示す図１６Ａに類似の概略図である。
【図１７】
比例制御弁として構成した、図１３Ａ及び１３Ｂに示したマイクロ弁装置を備えた第３実施例による車両ブレーキ・システムの概略図である。
【符号の説明】
１０                マイクロ弁装置
１２                本体
２０、２２          パイロット口
２８、３０          一次口
３６                パイロット弁
３８                アクチュエータ
４０                マイクロ弁（滑り弁）
４０ａ              第１端部
４０ｂ              第２端部
１９１ａ、１９１ｂ  圧力補強部材


【手続補正３】
【補正対象書類名】図面
【補正対象項目名】図８
【補正方法】変更
【補正の内容】
【図８】
2003528276.tif 000001
【手続補正４】
【補正対象書類名】図面
【補正対象項目名】図１０
【補正方法】変更
【補正の内容】
【図１０】
2003528276.tif 000002